(57)【要約】【課題】乾燥性能を向上させ、従来乾きにくかった食器洗浄機内のケースなども乾燥させる。【解決手段】洗浄槽と、食器類を加熱する温風ヒータと、洗浄槽内の蒸気を機外に排出する送風ファン１０と、制御装置とを備えた食器洗浄機では、食器類のすすぎを行うすすぎ工程３１と、すすぎ工程の後に食器類を乾燥させる乾燥工程３３とが行われる。すすぎ工程３１では、食器類を所定温度以上とするよう温水ヒータ２を作動させる。乾燥工程３３では、送風ファン１０を作動させるとともに、所定温度以上の加熱すすぎモード直後である乾燥工程の開始から所定時間の間、温風ヒータ１１の作動を停止させ、所定時間の経過後に温風ヒータ１１を作動させる。【選択図】  図３
2007202828.tif 000002
【特許請求の範囲】
【請求項１】
収納された食器を洗浄、すすぎ及び乾燥させる食器洗浄機において、
洗浄槽と、
前記洗浄槽に収納されている食器類を加熱する加熱手段と、
前記食器類に洗浄水を吹付けるための洗浄ポンプと、
前記洗浄槽内の蒸気を機外に排出する送風ファンと、
前記加熱手段、前記洗浄ポンプ及び送風ファンを制御して、前記食器類の洗浄、すすぎ及び乾燥を行わせる制御手段とを備え、
前記制御手段の制御により、前記食器類のすすぎを行うすすぎ工程と、前記すすぎ工程の後に前記食器類を乾燥させる乾燥工程とが行われ、
前記すすぎ工程では、前記食器類を所定温度以上とするよう加熱手段を作動させる加熱すすぎモードを備え、
前記乾燥工程では、加熱すすぎモードの後の乾燥工程では、前記送風ファンを作動させるとともに、当該乾燥工程の開始から所定時間の間、前記加熱ヒータの作動を停止させる送風乾燥モードを所定時間実行し、その後、前記加熱ヒータを作動させる温風乾燥モードとする間欠温風乾燥モードを備えていることを特徴とする食器洗浄機。
【請求項２】
前記すすぎ工程の加熱すすぎモードにおける所定温度には、予め定められた複数の設定温度のうちのいずれかが選択可能であり、
前記すすぎ工程の加熱すすぎモードにおける所定温度として、予め定められた基準温度以上の温度が選択されている場合、前記乾燥工程は前記間欠温風乾燥モードで動作することを特徴とする請求項１記載の食器洗浄機。
【請求項３】
前記すすぎ工程の加熱すすぎモードにおける前記複数の設定温度には、前記基準温度以上のものが複数含まれていて、
前記すすぎ工程の加熱すすぎモードにおいて選択されている温度が高い程、前記乾燥工程における前記加熱ヒータの動作が停止している所定時間を長くすることを特徴とする請求項２記載の食器洗浄機。
【請求項４】
前記食器洗浄機内の温度を検出する温度センサをさらに備え、
前記制御手段は、前記温度センサの出力に基づいて前記食器類の温度を推定し、当該推定された温度が所定値以下となった場合に、前記加熱手段を作動させるよう間欠温風乾燥モードを制御することを特徴とする請求項１記載の食器洗浄機。
【請求項５】
前記乾燥工程が前記間欠温風乾燥モードで動作するか否かにかかわらず、前記乾燥工程の作動時間を略一定としたことを特徴とする請求項１記載の食器洗浄機。
【請求項６】
前記すすぎ工程における所定温度が６０度以上の場合、前記乾燥工程は前記間欠温風乾燥モードで動作することを特徴とする請求項１記載の食器洗浄機。
【請求項７】
前記乾燥工程における前記加熱ヒータの作動時間は選択可能であり、
前記乾燥工程が前記間欠温風乾燥モードで動作するか否かにかかわらず、前記乾燥工程における前記加熱ヒータは、選択された作動時間だけ作動することを特徴とする請求項１記載の食器洗浄機。
【請求項８】
前記制御手段の制御により、前記乾燥工程の後に、前記送風ファンを作動させた換気工程がさらに行われ、
前記制御手段は、前記乾燥工程が前記間欠温風乾燥モードで動作したときの前記乾燥換気工程の時間を、前記間欠温風乾燥モードで動作しないときよりも短くすることを特徴とする請求項７記載の食器洗浄機。
【発明の詳細な説明】
【技術分野】
【０００１】
本発明は、食器類の洗浄、すすぎ及び乾燥を行う食器洗浄機に関し、特に、その食器洗浄機において乾燥性能を向上させるための技術に関する。
【背景技術】
【０００２】
食器洗浄機では、内部に収納された食器の洗浄を行う洗浄工程、すすぎを行うすすぎ工程及び乾燥を行う乾燥工程などの動作工程がある。このうち、乾燥工程について、空気を加熱するためのヒータと、送風のための送風ファンとをどのように制御するかという点について、種々の技術がある（例えば、特許文献１）。
【特許文献１】特開平９−１０８１６７号公報
【発明の開示】
【発明が解決しようとする課題】
【０００３】
ところで、食器洗浄機の乾燥機能について、一部のユーザの間では、以下のような不満がある。すなわち、食器自体の乾燥状態については問題がない場合でも、食器洗浄機内の天板等のケースに水滴が残っていることに不満を抱いているユーザも存在する。
【０００４】
このようなユーザの不満に対し、乾燥運転の時間を長くしたり、温風ヒータまたは送風ファンを大型化したりするなどして、乾燥性能を向上させれば、問題は解決する。ところが、元々、食器自体の乾燥状態については問題がないのであるから、上記のような対策をとることは、経済的な観点等を考慮して総合的に見たときにあまり有用な対策ではない。
【０００５】
そこで、本発明の目的は、上記のような対策をとることなく経済的に乾燥性能を向上させ、従来乾きにくかった食器洗浄機内のケースなども乾燥させることにある。
【課題を解決するための手段】
【０００６】
本発明の一実施態様に従う、収納された食器を洗浄、すすぎ及び乾燥させる食器洗浄機は、洗浄槽と、前記洗浄槽に収納されている食器類を加熱する加熱手段と、前記食器類に洗浄水を吹付けるための洗浄ポンプと、前記洗浄槽内の蒸気を機外に排出する送風ファンと、前記加熱手段、前記洗浄ポンプ及び送風ファンを制御して、前記食器類の洗浄、すすぎ及び乾燥を行わせる制御手段とを備える。そして、前記制御手段の制御により、前記食器類のすすぎを行うすすぎ工程と、前記すすぎ工程の後に前記食器類を乾燥させる乾燥工程とが行われ、前記すすぎ工程では、前記食器類を所定温度以上とするよう加熱手段を作動させる加熱すすぎモードを備え、前記乾燥工程では、加熱すすぎモードの後の乾燥工程では、前記送風ファンを作動させるとともに、当該乾燥工程の開始から所定時間の間、前記加熱ヒータの作動を停止させる送風乾燥モードを所定時間実行し、その後、前記加熱ヒータを作動させる温風乾燥モードとする間欠温風乾燥モードを備えている。
【０００７】
これにより、加熱すすぎモードの後に続けて乾燥工程を行う場合は乾燥工程の初期段階で加熱手段を所定時間だけ停止させることにより、すすぎ工程での余熱を利用した消費電力に有利な乾燥を行うことができる。
【０００８】
請求項２に基づく好適な実施形態では、前記すすぎ工程の加熱すすぎモードにおける所定温度には、予め定められた複数の設定温度のうちのいずれかが選択可能としてもよい。そして、前記すすぎ工程の加熱すすぎモードにおける所定温度として、予め定められた基準温度以上の温度が選択されている場合、前記乾燥工程は前記間欠温風乾燥モードで動作する。
【０００９】
これにより、すすぎ工程での温度が基準温度以上のときに限って、乾燥工程の初期段階で加熱手段を停止させるようにすることで、余熱乾燥が期待できる場合は効率的に省電力化することができ、余熱乾燥が期待できない場合は間欠温風乾燥モードを実施しないため無用に乾燥性能を低下させたり乾燥時間を長くしたりすることがなくなる。
【００１０】
請求項３に基づく好適な実施形態では、前記すすぎ工程の加熱すすぎモードにおける前記複数の設定温度には、前記基準温度以上のものが複数含まれていて、前記すすぎ工程の加熱すすぎモードにおいて選択されている温度が高い程、前記乾燥工程における前記加熱ヒータの動作が停止している所定時間を長くする。
【００１１】
これにより、加熱すすぎモードの状態に応じて余熱を効率的に利用するようにしたので、一層経済的な乾燥運転を実現できる。
【００１２】
請求項４に基づく好適な実施形態では、前記食器洗浄機内の温度を検出する温度センサをさらに備え、前記制御手段は、前記温度センサの出力に基づいて前記食器類の温度を推定し、当該推定された温度が所定値以下となった場合に、前記加熱手段を作動させるよう間欠温風乾燥モードを制御する。
【００１３】
これにより、食器の温度が所定値以上と推定され、余熱乾燥が期待できる場合に限って間欠温風乾燥モードを実行するため省電力化を図りつつ効率的な乾燥工程を実行できる。また、余熱乾燥が期待できないときは間欠温風乾燥モードをせず温風乾燥モードのみで制御したり、余熱乾燥が期待できなくなった時点で送風乾燥モードに変えて温風乾燥モードに移行するため、乾燥性能を低下させたり乾燥時間を長くしたりすることのない確実な乾燥運転を実現できる。
【００１４】
請求項５に基づく好適な実施形態では、前記乾燥工程が前記間欠温風乾燥モードで動作するか否かにかかわらず、前記乾燥工程の作動時間を略一定とする。
【００１５】
これにより、乾燥工程時間を常に一定にできるため使用者が戸惑うことがなく、また、余熱乾燥が期待できる時は省電力運転の送風乾燥モードによる乾燥が乾燥工程の初期に温風乾燥モードに変わって行われるため加熱ヒータの駆動による温風乾燥モードの時間を短くできる。よって電力消費を少なくした中で必要十分な乾燥性能を確保することができる。
【００１６】
請求項６に基づく好適な実施形態では、前記すすぎ工程における所定温度が６０度以上の場合、前記乾燥工程は前記間欠温風乾燥モードで動作するようにしている。
【００１７】
これにより、乾燥工程において、電力消費を高めたり、乾燥時間を無駄に長くしたりすることなくすすぎ工程の余熱で乾燥性能を確実に向上させることができる。
【００１８】
請求項７に基づく好適な実施形態では、前記乾燥工程における前記加熱ヒータの作動時間は選択可能であり、前記乾燥工程が前記間欠温風乾燥モードで動作するか否かにかかわらず、前記乾燥工程における前記加熱ヒータは、選択された作動時間だけ作動する用にしている。
【００１９】
これにより、間欠温風乾燥モードで実行した場合は、省電力運転の送風乾燥モードが選択された温風乾燥モードの時間に加算されるため、電力消費を高めることなく食器洗浄機内の天板等のケースに付着した水滴をも確実に除去できる。よって使用満足度の高い乾燥工程を提供できる。
【００２０】
請求項８に基づく好適な実施形態では、前記制御手段の制御により、前記乾燥工程の後に、前記送風ファンを作動させた換気工程がさらに行われるようにしてもよい。このとき、前記制御手段は、前記乾燥工程が前記間欠温風乾燥モードで動作したときの前記乾燥換気工程の時間を、前記間欠温風乾燥モードで動作しないときよりも短くしている。
【００２１】
これにより、間欠温風乾燥モードによって乾燥性能を向上させることができているため、送風ファンを更に駆動して換気工程を必要以上に行うことは消費電力の観点で得策でなく、本請求項の態様に基づけば換気工程時間を自動的に短くしているため一層の節電を図ることができる。
【発明を実施するための最良の形態】
【００２２】
以下、本発明の一実施形態に係る食器洗浄機について、図面を参照して説明する。
【００２３】
図１は、本実施形態に係る食器洗浄機の内部構造図を示す図である。
【００２４】
食器洗浄機は、洗浄槽１と、洗浄槽１内に貯水される洗浄水を加熱する温水ヒータ２と、洗浄槽１内に設けられ、洗浄するための食器を収納する食器かご３と、食器かご３に収納された食器へ洗浄水を噴射する回転洗浄ノズル４及び固定洗浄ノズル６と、洗浄槽１の下部に設けられ、洗浄水を圧送し回転洗浄ノズル４および固定洗浄ノズル６から洗浄水を噴射させるための洗浄ポンプ、及び洗浄水を洗浄槽１の外部へと排出するための排水ポンプとして機能するポンプ５と、洗浄水を洗浄槽１へ供給するための電磁弁７と、洗浄槽１内の洗浄水の水位を検出する水位検出手段８と、洗浄槽１内へ風を送り込む送風ファン１０と、送風ファン１０によって送り込まれる風を暖める温風ヒータ１１と、洗浄槽１内で排気口１２近傍の排気ダクト内に設けられた温度を検出する温度センサ１５と、食器洗浄機前面に設けられ、送風ファン１０によって送り込まれた風を機外に排出する排気口１２と、ポンプ５、電磁弁７、送風ファン１０及び温風ヒータ１１などを制御する制御装置１３と、食器洗浄機の前面に設けられた操作パネル９とを備える。
【００２５】
上記のような構成を備えた食器洗浄機は、洗浄槽１内の食器カゴ３に収容された食器の洗浄、すすぎ及び乾燥を行う。このうち、本実施形態では、特に、乾燥性能を向上させるために、食器のすすぎを行うすすぎ工程から、すすぎ工程の後の乾燥工程にかけた処理に特徴を有する。以下、すすぎ及び乾燥制御を中心に説明する。
【００２６】
図２は、第１処理態様に係るすすぎ及び乾燥制御のタイムチャートである。
【００２７】
同図に示す第１の態様は、通常乾燥制御と呼ばれる。すなわち、制御装置１３の制御に従って、すすぎ工程２１を行った後に、洗浄水（すすぎ水）を排出する排水工程２２が行われ、それに続いて乾燥工程２３及び送風ファンの駆動による換気工程２４が行われる。
【００２８】
ここで、まずすすぎ工程２１では、制御装置１３は、洗浄槽１内の食器の温度が５５℃になるように、温水ヒータ２を作動させる。このすすぎ工程２１を、後述する加熱すすぎモードと区別するために通常すすぎ工程と呼ぶ。
【００２９】
次に、すすぎ工程２１終了後の排水工程２２では、制御装置１３はポンプ５を作動させて排水を行う。排水工程２２に要する時間は、約３５秒である。
【００３０】
排水工程２２の終了後、乾燥工程２３となる。乾燥工程２３に要する時間は、３０分、６０分と選択可能であるがここでは６０分の乾燥時間としている。乾燥工程２３では、制御装置１３が送風ファン１０を作動させて、洗浄槽１内の多湿空気を機外へ排出させるとともに、洗浄槽１内の温度が所定の目標温度（例えば、６０℃または８０℃）になるように、温風ヒータ１１を作動させる。制御装置１３は、所定の目標温度になるように、温風ヒータ１１のオン／オフを制御し、間欠的に制御している。
【００３１】
なお、排水工程２２において、洗浄水の水位が所定水位以下に下がったとき、または、排水工程２２の開始から所定時間が経過したときなどのように、排水工程２２が終了する前から送風ファン１０を作動させてもよい。
【００３２】
乾燥工程２３終了後、制御装置１３は、ヒータ１１の作動を停止し、送風ファン１０のみを作動させ多湿空気を乾燥工程と同様に機外へ排出する換気工程２４に移行する。
【００３３】
図３は、第２の処理態様である間欠温風乾燥モードに係るすすぎ及び乾燥制御のタイムチャートである。
【００３４】
同図に示す第２の処理態様は、図２の第１の処理態様に対して、消費電力を同程度に抑えつつ、乾燥性能を向上させた処理態様である。第２の処理態様でも、制御装置１３の制御に従って、すすぎ工程３１、排水工程３２、乾燥工程３３及び換気工程３４が、この順序で行われる。以下、第２の処理態様について、第１の処理態様との相違点を中心に説明する。
【００３５】
すすぎ工程３１において、制御装置１３は、温水ヒータ２を作動させて洗浄水の温度を高め洗浄槽１内の食器の温度が８０℃になるように制御する。以下、このすすぎ工程３１を加熱すすぎモードと呼ぶ。
【００３６】
すすぎ工程３１の後、排水工程３２に移行する。
【００３７】
排水工程３２終了後、乾燥工程３３に移行する。乾燥工程３３では、送風ファン１０の制御は、通常乾燥制御の場合と同じである。つまり、送風ファン１０は、乾燥工程３３開始時、または開始前の排水工程３２の途中から作動を開始する。
【００３８】
これに対し、温風ヒータ１１の動作は、第１の処理態様の場合と異なる。すなわち、制御装置１３は、乾燥工程３３の開始から所定時間の間は、温風ヒータ１１の作動を停止させる。この処理態様では、温風ヒータ１１を停止させる時間は例えば１０分である。この所定時間が経過した後、制御装置１３は再び温風ヒータ１１を作動させる。
【００３９】
このとき、制御装置１３は、第１の処理態様と同様に、食器洗浄機内の温度が所定温度になるように、温風ヒータ１１を間欠的に動作させる。つまり、制御装置１３は、例えば、温風ヒータ１１を一定時間作動させた後停止させる。温風ヒータ１１の停止中は、制御装置１３は、温度センサ１５が検出した食器洗浄機内の温度に基づいて、食器の温度を推定する。そして、その推定温度が所定の目標温度以下になると、制御装置１３は、温風ヒータ１１を作動させ、食器の温度が下がらないようにする。
【００４０】
また、乾燥工程３３では、温風ヒータ１１を停止させた所定時間後に、乾燥工程２３と同様に温風ヒータ１１を間欠的に作動させる。従って、乾燥工程３３の時間は、乾燥工程２３よりも温風ヒータ１１を停止させた時間だけ長くなるように制御している。言い換えると温風ヒータによる温風乾燥モードの時間は一定時間行うようにしているため間欠温風乾燥モードによる送風乾燥モードの時間分だけ加算されて乾燥工程時間が長くなっている。これにより電力費用を高めることなく乾燥性能を飛躍的に向上させている。
【００４１】
なお、乾燥工程における温風ヒータ１１の作動時間は、操作パネル９からユーザが選択可能であり、図示はしないが３０分、６０分、９０分の選択が可能になっている。
【００４２】
このように乾燥工程３３の初期において、温風ヒータ１１を停止し、送風乾燥モードのみを行うのは、以下の理由による。すなわち、食器の温度が高くなるように加熱すすぎを行うことにより、乾燥工程３３開始時には食器の温度は高い状態となっている。食器の温度が６０度以上のときは、その余熱を利用して送風を行うだけで温風乾燥と同等の効果がある。従って、６０度以上の加熱すすぎモードの直後に、温風ヒータ１１を停止させて送風乾燥モードのみを行うことにより、消費電力の増加を抑制しつつ、高い乾燥性能を確保することができる。
【００４３】
乾燥工程３３後の換気工程３４は、乾燥工程３３で１０分間の送風乾燥モードによる余熱乾燥が行われているため乾燥性能が向上している。よって、必要以上に換気工程で換気を行って食器を乾燥させることは消費電力が無駄と言える。そのため、本実施形態では、換気工程３４を通常乾燥制御の換気工程２４よりも５分程度短縮して乾燥性能と消費電力節約の両立を図っている。ここで、乾燥工程１０分延長に対して換気工程を５分しか短くしない理由は、ケースの内面に付着した水分をも電力消費なしに除去することで衛生面を含め一層の乾燥性能の満足感を得てもらうためである。
【００４４】
図４は、第３の処理態様に係る間欠温風乾燥モードであるすすぎ及び乾燥制御のタイムチャートである。
【００４５】
同図に示す第３の処理態様は、図２の第１の処理態様と同等の乾燥性能を備えつつ、消費電力を低減した処理態様である。第３の処理態様でも、制御装置１３の制御に従って、すすぎ工程４１、排水工程４２、乾燥工程４３及び換気工程４４が、この順序で行われる。以下、この処理態様について、上述の第１及び第２の処理態様との相違点を中心に説明する。
【００４６】
すすぎ工程４１は、第２の処理態様と同様に、温水ヒータ２を作動させて、洗浄槽１内の洗浄水温度を８０℃にするように制御した加熱すすぎモードである。
【００４７】
すすぎ工程４１の後、排水工程４２に移行する。
【００４８】
排水工程４２終了後、乾燥工程４３に移行する。乾燥工程４３でも、送風ファン１０の制御は、第１の処理態様の場合と同じである。つまり、送風ファン１０は、乾燥工程４３開始時、または開始前の排水工程４２の途中から作動を開始する。
【００４９】
温風ヒータ１１は、第２の処理態様の場合と同様に、乾燥工程４３の初期の所定時間の間、動作が停止させられる。この処理態様では、温風ヒータ１１を停止させる時間は例えば１０分である。この所定時間が経過した後、制御装置１３は再び温風ヒータ１１を作動させる。
【００５０】
ここで、乾燥工程４３の全体の所要時間は、例えば、３０分から９０分でよいし、第１の処理態様の乾燥工程２３と同じであってもよい。さらに、乾燥工程４３における温風ヒータ１１の間欠動作は、第２の処理態様と同様でよい。なお、このときの目標温度は８０℃である。
【００５１】
乾燥工程４３の所要時間を第１の処理態様の乾燥工程２３と同じとすれば、温風ヒータ１１が作動している時間は、第１の処理態様のときよりも短くなっている。従って、第３の処理態様では、第１の処理態様のときよりも消費電力が低減されている。この一方で、第２の処理態様のときに述べた通り、加熱すすぎ直後は、食器が高温になっているので、温風ヒータ１１を作動させない送風乾燥モードのみでも、加熱すすぎモードの余熱利用により、温風ヒータ１１を作動させたときと同程度の乾燥性能を得ることができる。この結果、第３の処理態様では、第１の処理態様の場合よりも省電力で、同程度の乾燥性能を実現できる。
【００５２】
なお、乾燥工程４３後の換気工程４４の所要時間は、第２の処理態様のように乾燥性能が高まっている訳ではないので短くするのではなく、第１の処理態様の換気工程２４と同じである。反対に若干時間を延長して温風ヒータによる乾燥から自然乾燥に切り替えた乾燥性能の低下分を補っても良い。
【００５３】
図５は、第４の処理態様に係る間欠温風乾燥モードであるすすぎ及び乾燥制御のタイムチャートである。
【００５４】
同図に示す第４の処理態様は、すすぎ工程５１、排水工程５２、乾燥工程５３及び換気工程５４を備える。第３の乾燥制御との主要な相違点は、すすぎ工程５１の加熱すすぎモードの温度である。すなわち、第３の処理態様のすすぎ工程４１では８０℃が目標温度であったが、第４の処理態様のすすぎ工程５１では、６０℃である。
【００５５】
これに伴って、乾燥工程５３での制御が第３の処理態様の場合と多少異なる。つまり、乾燥工程５３の初期において、温風ヒータ１１を作動させずに送風ファン１０による送風乾燥モードのみを行う時間が、乾燥工程４３の場合よりも短くなる。例えば、本実施形態では、その時間は５分である。乾燥工程５３全体の所要時間は、乾燥工程４３全体の所要時間と同じでよい。
【００５６】
ここで、第３及び第４の処理態様で示したように、加熱すすぎモードの設定温度は、６０℃及び８０℃である。しかし、これらはいずれも例示であり、これ以外であってもよいし、設定温度が３つ以上あってもよい。ユーザは、加熱すすぎモードの温度を、複数の設定温度の中から選択可能である。
【００５７】
また、加熱すすぎモードの設定温度が高いほど、乾燥工程初期に温風ヒータ１１を停止させる時間を長くしてもよい。
【００５８】
そして、選択された加熱すすぎモードでの設定温度が、所定の基準温度以上の場合に、乾燥工程初期に温風ヒータ１１の動作を停止させるようにするのが好ましい。これは、乾燥工程初期に送風乾燥モードのみで乾燥を行うのは、すすぎ工程における余熱を利用するものだからである。
【００５９】
上述した本発明の実施形態は、本発明の説明のための例示であり、本発明の範囲をそれらの実施形態にのみ限定する趣旨ではない。当業者は、本発明の要旨を逸脱することなしに、他の様々な態様で本発明を実施することができる。
【図面の簡単な説明】
【００６０】
【図１】本発明の一実施形態に係る食器洗浄機の内部構造図を示す図である。
【図２】第１処理態様に係るすすぎ及び乾燥制御のタイムチャートである。
【図３】第２処理態様に係るすすぎ及び乾燥制御のタイムチャートである。
【図４】第３処理態様に係るすすぎ及び乾燥制御のタイムチャートである。
【図５】第４処理態様に係るすすぎ及び乾燥制御のタイムチャートである。
【符号の説明】
【００６１】
１    洗浄槽
２    温水ヒータ
３    食器カゴ
４    回転洗浄ノズル
５    ポンプ
６    固定洗浄ノズル
７    電磁弁
８    水位検出手段
９    操作パネル
１０    送風ファン
１１    温風ヒータ
１２    排気口
１３    制御装置
２１、３１，４１，５１    すすぎ工程
２２、３２，４２，５２    排水工程
２３、３３，４３，５３    乾燥工程
２４、３４，４４，５４    換気工程
【図１】
2007202828.tif 000003
【図２】
2007202828.tif 000004
【図３】
2007202828.tif 000005
【図４】
2007202828.tif 000006
【図５】
2007202828.tif 000007